(57)【要約】      （修正有）【課題】複数の敷居溝幅に対応可能な滑りテープを提供する。【解決手段】合成樹脂製の滑りテープ１は、襖や引き戸、障子等の開閉体を案内する敷居溝１０に装着される。滑りテープ１は、敷居溝の底面１１に対向する下面２と、開閉体の摺動性を向上させるように長手方向に延びる凹凸部４が設けられた上面３と、側端部から所定距離を隔てて下面２から上面３の凹部５に向けて切り込まれ、長手方向に延びる引裂線を画定する溝部８とを有する。【選択図】図２
0003199115.tif 000002
【実用新案登録請求の範囲】
【請求項１】
開閉体を案内する敷居溝に装着される合成樹脂製の滑りテープであって、
前記敷居溝の底面に対向する下面と、
前記開閉体の摺動性を向上させるように長手方向に延びる凹凸部が設けられた上面と、
側端部から所定距離を隔てて前記下面から前記上面の凹部に向けて切り込まれ、長手方向に延びる引裂線を画定する溝部とを有することを特徴とする
滑りテープ。
【請求項２】
前記溝部は、平行に複数設けられていることを特徴とする、
請求項１に記載の滑りテープ。
【請求項３】
前記溝部は、断面略Ｖ字状であることを特徴とする、
請求項１または２に記載の滑りテープ。
【請求項４】
両側の側端部に、先端に向けて薄くなり、前記敷居溝に装着されたときに先端部が該敷居溝の両側壁に圧接する側片部が設けられており、
前記溝部は、幅方向で前記引裂線の外側に位置し、前記下面に対して略直交する縦面と、幅方向で前記引裂線の内側に位置し、前記下面から前記上面に向けて凸に湾曲して上端が前記縦面の上端に交わる湾曲面とで形成されていることを特徴とする、
請求項１または２に記載の滑りテープ。
【請求項５】
前記合成樹脂は、ポリエチレンおよびポリプロピレンの少なくとも一方を含み、
前記溝部の底部の位置での厚さが０．１ｍｍ以上０．２５ｍｍ未満であることを特徴とする、
請求項１から４のいずれか１項に記載の滑りテープ。
【考案の詳細な説明】
【技術分野】
【０００１】
本考案は、襖や引き戸、障子等の敷居溝に装着される滑りテープに関する。
【背景技術】
【０００２】
従来、襖や引き戸、障子等の開閉体（戸など）を案内する敷居溝に、摺動性に優れた合成樹脂製の滑りテープを、両面テープなどを介して装着し、該敷居溝の滑りを良くする技術が知られている。
【０００３】
特許文献１に開示された滑りテープは、敷居溝に適合する所定幅を有する主体板と、該主体板の両側端部に形成された屈曲部から主体板に対して斜め上方に向けて延びる側片と、該側片から斜め下方に向けて延びる複数のフィンとを有している。装着時に前記主体板が敷居溝の底面に押し付けられると、前記側片が前記敷居溝の側壁に当接しつつ起立して該側壁に対向すると共に、前記側片から延びるフィンが前記側壁に圧接するようになっている。このようにして、両面テープなどを必要とせずに、滑りテープの敷居溝への装着性を向上させている。
【先行技術文献】
【特許文献】
【０００４】
【特許文献１】実開平１−４２６３１号
【考案の概要】
【考案が解決しようとする課題】
【０００５】
ところで、前記敷居溝は、適用される建物の種類や仕様等によって幅が異なり、該敷居溝の幅に応じた複数の滑りテープが市販されている。しかし、特許文献１に開示された滑りテープは、前記所定幅より幅の小さい敷居溝には装着できず、また前記所定幅より幅の大きい敷居溝に装着しようとすると、前記フィンが敷居溝の側壁に圧接せず、装着性を向上させることができない。このように、従来の滑りテープは複数の敷居溝幅に対応できず、メーカーは各敷居溝幅に応じた滑りテープを製造しなければならず、また、ユーザは必要な敷居溝幅に応じた幅の滑りテープを購入する必要があった。
【０００６】
本考案は、上記課題を解決するためになされたものであり、複数の敷居溝幅に対応可能な滑りテープを提供することを課題とする。
【課題を解決するための手段】
【０００７】
上記課題を解決するために、本願の請求項１に記載の考案は、
開閉体を案内する敷居溝に装着される合成樹脂製の滑りテープであって、
前記敷居溝の底面に対向する下面と、
前記開閉体の摺動性を向上させるように長手方向に延びる凹凸部が設けられた上面と、
側端部から所定距離を隔てて前記下面から前記上面の凹部に向けて切り込まれ、長手方向に延びる引裂線を画定する溝部とを有することを特徴とする。
【０００８】
請求項２に記載の考案は、請求項１に記載の滑りテープであって、
前記溝部は、平行に複数設けられていることを特徴とする。
【０００９】
請求項３に記載の考案は、請求項１または２に記載の滑りテープであって、
前記溝部は、断面略Ｖ字状であることを特徴とする。
【００１０】
請求項４に記載の考案は、請求項１または２に記載の滑りテープであって、
両側の側端部に、先端に向けて薄くなり、前記敷居溝に装着されたときに先端部が該敷居溝の両側壁に圧接する側片部が設けられており、
前記溝部は、幅方向で前記引裂線の外側に位置し、前記下面に対して略直交する縦面と、幅方向で前記引裂線の内側に位置し、前記下面から前記上面に向けて凸に湾曲して上端が前記縦面の上端に交わる湾曲面とで形成されていることを特徴とする。
【００１１】
請求項５に記載の考案は、請求項１から４のいずれか１項に記載の滑りテープであって、
前記合成樹脂は、ポリエチレンおよびポリプロピレンの少なくとも一方を含み、
前記溝部の底部の位置での厚さが０．１ｍｍ以上０．２５ｍｍ未満であることを特徴とする。
【考案の効果】
【００１２】
請求項１に記載の考案によれば、下面から上面の凹部に向けて溝部が切り込まれていることにより、該溝部により画定される引裂線の位置で滑りテープを薄くすることができ、該引裂線に沿って滑りテープを引き裂く（または折る）ことにより、ユーザは滑りテープの幅を容易に調節できる。このようにして、２つ以上の敷居溝幅に対応可能な滑りテープが実現する。
【００１３】
請求項２に記載の考案によれば、溝部が平行に複数設けられていることにより、３つ以上の敷居溝幅に対応可能な滑りテープが実現する。
【００１４】
請求項３に記載の考案によれば、溝部を断面略Ｖ字状とすることにより、該溝部に応力を集中させて滑りテープの引裂きを容易にすることができる。
【００１５】
請求項４に記載の考案によれば、両側の側端部に、先端に向けて薄くなり、敷居溝に装着されたときに先端部が該敷居溝の両側壁に圧接する側片部が設けられていることにより、意匠性を損なうこと無く滑りテープの装着性を向上させることができる。また、溝部が縦面と湾曲面とで形成されていることにより、引裂き後の滑りテープの側片部についても同様の効果を得ることができる。
【００１６】
請求項５に記載の考案によれば、合成樹脂がポリエチレンおよびポリプロピレンの少なくとも一方を含み、溝部の底部での厚さが０．１ｍｍ以上０．２５ｍｍ未満であることにより、装着時に敷居溝に押し付けられて割れが発生するのを防止でき、かつ、引裂線に沿って滑りテープを引き裂いたときに白化が発生するのを防止できる。
【図面の簡単な説明】
【００１７】
【図１】本考案の第１実施形態による滑りテープを示す断面図である。
【図２】本考案の第１実施形態による滑りテープを敷居溝に装着された状態で示す断面図である。
【図３】本考案の第１実施形態において、引き裂かれた後の滑りテープを敷居溝に装着された状態で示す断面図である。
【図４】本考案の第２実施形態による滑りテープを示す断面図である。
【図５】本考案の第３実施形態による滑りテープを示す断面図である。
【図６】本考案の第３実施形態において、引き裂かれた後の滑りテープを敷居溝に装着された状態で示す断面図である。
【考案を実施するための形態】
【００１８】
以下、本考案の実施の形態について、添付図面を参照しながら詳細に説明する。以下の説明では、「上」、「下」など特定の方向を示す用語を用いるが、これらの用語は図面との関係で考案の理解を容易にするために用いているにすぎず、本考案を限定するものではない。また、異なる実施形態において、同一または対応する構成には同一の符号を付して説明を省略する。
【００１９】
（第１実施形態）
図１は、本考案の第１実施形態による滑りテープ１を示す断面図であり、図２は、滑りテープ１を敷居溝１０に装着された状態で示す断面図である。
敷居溝１０は第１の溝幅Ｗ１を有し、滑りテープ１は溝幅Ｗ１より若干大きいテープ幅（Ｗ１＋ΔＷ）を有する。滑りテープ１は、図示しない開閉体を案内する敷居溝１０の底面１１に対向する下面２と、上面３とを有する。滑りテープ１は、予めユーザにより敷居溝１０の底面１１に貼付された両面テープ９を介して敷居溝１０に装着される。あるいは、図１に二点鎖線で示すように、滑りテープ１の下面２に予め両面テープ９が貼付されていてもよい。
【００２０】
滑りテープ１の上面３には、開閉体の摺動性を向上させるように長手方向に延びる凹凸部４が設けられている。凹凸部４は、平坦な凹部５と滑らかな山型の凸部６とが交互に並んだ形状を有する。また、滑りテープ１の両側の側端部には、上面３から段差部３ａを介して幅方向外側に向かって延び、先端に向けて薄くなる側片部７が設けられている。側片部７は、敷居溝１０に装着されたときに先端部７ａが敷居溝１０の側壁１２に圧接する機能を有する。
【００２１】
滑りテープ１には、下面２から上面３の凹部５に向けて切り込まれた溝部８が設けられている。第１実施形態で、溝部８は断面略Ｖ字状である。溝部８は、滑りテープ１の側端部から幅方向内側に所定距離を隔てて長手方向に延びる。滑りテープ１は、溝部８の底部８ａと対応する凹部５との間で充分に薄くされており、ユーザが引き裂く（折る）ことにより、溝部８の幅方向内側の部分と幅方向外側の部分とを分離できるようになっている。分離後は、滑りテープ１の溝部８の位置に、新たな側片部１７が形成される（図３を参照）。このように、溝部８は、その底部８ａと凹部５との間で、長手方向に延びる引裂線を画定する。
【００２２】
滑りテープ１は合成樹脂製であり、好ましくはポリエチレンまたはポリプロピレンから作成されている。あるいは、滑りテープ１は、ポリエチレンとポリプロピレンを所定の混合比で含む材料から作成されてもよい。なお、滑りテープ１は例えば押出成形により製造される。
【００２３】
次に、滑りテープ１の例示的な寸法について説明する。
まず、敷居溝幅の例示的な値は、３０ｍｍ、２１ｍｍ、１８ｍｍ、１５ｍｍ、１２ｍｍ、９．５ｍｍ、９ｍｍである。滑りテープ１のテープ幅は、敷居溝幅より例えば０．５ｍｍ程度（ΔＷ）大きい値とされる。溝部８の底部８ａの位置（引裂線の位置）での滑りテープ１の厚さ（底部８ａと凹部５との間の距離）は、好ましくは０．１ｍｍ以上０．２５ｍｍ未満である。側片部７の先端部７ａは、例えば０．１ｍｍ以下と充分に薄くされる。
【００２４】
次に、第１実施形態により得られる効果を説明する。
ユーザは、滑りテープ１において、溝部８の底部８ａと凹部５との間に画定される引裂線の位置に力を加えることにより、ハサミやカッターなどを使わなくても、手で溝部８の幅方向内側の部分と幅方向外側の部分とを分離できる。特に、溝部８が断面略Ｖ字状であることにより、引裂き時に溝部８に応力を集中させ、滑りテープ１の引裂きを容易にすることができる。この効果は、Ｖ字がより鋭角に形成されるほど顕著に得られる。そして、例えば幅方向内側の部分を残して、図３に示すように第２の溝幅Ｗ２を有する敷居溝６０に滑りテープ１を装着できる。このように、第１実施形態で、滑りテープ１は２つの敷居溝幅Ｗ１，Ｗ２に対応可能である。
【００２５】
また、装着時に、滑りテープ１を敷居溝１０の底面１１に押し付けるときには、側片部７の先端部７ａは薄く、さらに滑りテープ１のテープ幅（Ｗ１＋ΔＷ）は溝幅Ｗ１より若干大きいことから、側片部７の先端部７ａは敷居溝１０の側壁１２に当接しつつ上側を向く。このようにして、敷居溝１０の底面１１に滑りテープ１を押し付けやすくしている。また、側片部７の先端部７ａは側壁１２に圧接するので、滑りテープ１の敷居溝１０への装着性を向上させることができる。このとき、先端部７ａが上側を向いていることにより、上から見たときに意匠性を損なうこともない。
【００２６】
また、引裂線の位置で滑りテープ１の厚さが小さすぎると、装着時に敷居溝１０の底面１１に押し付けられて割れが発生するおそれがあるところ、当該厚さを０．１ｍｍ以上とすることにより、強く押し付けた場合であっても滑りテープ１の割れを防止できることがわかっている。また逆に、当該厚さが大きすぎると、引き裂いた後に切断面が白くなり（白化し）やすく、この場合上から見たときに意匠性が損なわれてしまうところ、当該厚さを０．２５ｍｍ未満とすることにより、白化を防止できることがわかっている。これらの効果は、滑りテープ１を構成する合成樹脂がポリエチレンやポリプロピレンである場合に特に顕著に得られる。
【００２７】
なお、第１実施形態では、滑りテープ１に必ずしも側片部７が設けられる必要はなく、側片部７が設けられない場合であっても２つの敷居溝幅Ｗ，Ｗ２に対応可能であるといった効果を得ることができる。
【００２８】
（第２実施形態）
図４は、本考案の第２実施形態による滑りテープ２１を示す断面図である。
滑りテープ２１には、第１実施形態で説明した溝部が２つ（符号２８，２９）互いに平行に設けられている。２つの溝部２８，２９は、両側端部から同じ距離を隔てて設けられている。２つの溝部２８，２９を設けることにより、滑りテープ２１は、（１）切り裂く前の状態、（２）溝部２８の幅方向外側を切り裂いたとき、さらに（３）溝部２９の幅方向外側を切り裂いたときの計３パターンで、３つの敷居溝幅に対応可能となる。
【００２９】
なお、２つの溝部２８，２９は、両側端部から互いに異なる距離を隔てて設けられてもよい。また、溝部は３つ以上設けられてもよい。
【００３０】
（第３実施形態）
図５は、本考案の第３実施形態による滑りテープ３１を示す断面図であり、図６は、引き裂かれた後の滑りテープ３１を敷居溝６０に装着された状態で示す断面図である。
滑りテープ３１は、溝部３８の形状が第１実施形態による滑りテープ１と異なる。溝部３８は、幅方向外側（引裂線の外側）の縦面３８ｂと幅方向内側（引裂線の内側）の湾曲面３８ｃとで形成されている。縦面３８ｂは、下面２に対して略直交している。湾曲面３８ｃは、下面２から上面３に向けて凸に湾曲している。縦面３８ｂの上端と湾曲面３８ｃの上端とが交わる位置（溝部３８の底部３８ａ）は、凹部５の下方に位置する。
【００３１】
滑りテープ３１は、第１実施形態による滑りテープ１と同様に、溝部３８の底部３８ａと凹部５との間で充分に薄くされており、この位置に画定される引裂線をユーザが引き裂く（折る）ことにより、滑りテープ３１において溝部３８の幅方向内側の部分と幅方向外側の部分とを分離できるようになっている。
【００３２】
ユーザにより滑りテープ３１が分離された後は、滑りテープ３１の溝部３８の位置に、新たな側片部４７が形成される（図６を参照）。そして、例えば幅方向内側の部分を残して、図６に示すように第２の溝幅Ｗ２を有する敷居溝６０に滑りテープ３１を装着できる。特に、第３実施形態では、溝部３８が縦面３８ｂと湾曲面３８ｃとで形成されていることにより、装着時に滑りテープ３１を敷居溝６０の底面６１に押し付けるときに、新たな側片部４７が敷居溝６０の側壁６２に当接しつつ上側を向き、かつ、装着後には側壁６２に圧接するようにできる。従って、側片部４７は元の側片部７と同様の機能を有することになる。
【００３３】
ここで、第２実施形態による滑りテープ２１と同様に、滑りテープ３１に２つの溝部を設けることを考える。このとき、２つの溝部を幅方向について線対称に設けることにより、一方の溝部２８を設けることにより得られる効果を他方の溝部についても同様に得ることができる。
【００３４】
以上、上記実施形態を挙げて本考案を説明したが、本考案は上記実施形態に限定されない。また、上記実施形態には種々の変形、改良が加えられてよく、従って上記実施形態には種々の変形例が存在する。
【００３５】
例えば、上記実施形態では、滑りテープを切り裂いた後、溝部の幅方向内側の部分を新たな滑りテープとして利用する例について説明したが、幅方向外側の部分についても新たな滑りテープとして利用できるようにしてもよい。
【産業上の利用可能性】
【００３６】
以上のように、本考案によれば、滑りテープを複数の敷居溝幅に対応可能とすることが可能となるから、この種の滑りテープの製造産業分野において本考案が好適に利用される可能性がある。
【符号の説明】
【００３７】
１    滑りテープ
２    下面
３    上面
４    凹凸部
５    凹部
７    側片部
８    溝部
８ａ  溝部の底部
９    両面テープ
１０  敷居溝
１１  （敷居溝の）底面
【図１】
0003199115.tif 000003
【図２】
0003199115.tif 000004
【図３】
0003199115.tif 000005
【図４】
0003199115.tif 000006
【図５】
0003199115.tif 000007
【図６】
0003199115.tif 000008